(57)【要約】【課題】既存の通行扉が有する電気錠に簡易かつ安価に取り付けることができ、セキュリティ機能を向上することができる電気錠制御装置提供する。【解決手段】通行扉２００が有する電気錠２１０を解錠するための暗証番号を暗証番号生成手段１１０が生成し、送信先格納部１６３に格納された送信先情報に記載されたメールアドレスに対して暗証番号生成手段１１０によって生成された暗証番号を記載したメールを、通知手段１６０が作成して送信する。【選択図】図１
2018059317.tif 000002
【特許請求の範囲】
【請求項１】
暗証番号を入力する暗証番号入力手段と電気錠とに接続され、前記電気錠の施解錠を制御する電気錠制御装置において、
前記電気錠を解錠するための暗証番号を生成する暗証番号生成手段と、
前記暗証番号生成手段によって生成された前記暗証番号を通知する通知手段と、
を備えることを特徴とする電気錠制御装置。
【請求項２】
前記暗証番号生成手段は、
前記暗証番号を定期的に変更するための変更周期を格納する変更周期格納部を備えることを特徴とする請求項１記載の電気錠制御装置。
【請求項３】
前記通知手段は、
前記送信先を特定する送信先情報を備え、
前記送信先に通知することを特徴とする請求項１記載の電気錠制御装置。
【請求項４】
前記送信先情報は、
通知媒体に電子メールを利用する際のメールアドレス情報であることを特徴とする請求項３記載の電気錠制御装置。
【請求項５】
前記通知手段は、
暗号化手段を備え、
前記暗号化手段によって暗号化された前記電子メールが送信されることを特徴とする請求項４記載の電気錠制御装置。
【請求項６】
前記送信先情報は、
通知媒体にネットワーク上の記録媒体を利用する際の前記記録媒体のアドレス情報であることを特徴とする請求項３記載の電気錠制御装置。
【請求項７】
前記暗証番号生成手段によって生成された前記暗証番号と、前記暗証番号入力手段から入力された入力番号とを照合して認証する暗証番号認証手段を備えることを特徴とする請求項１記載の電気錠制御装置。
【請求項８】
前記暗証番号認証手段および電気錠制御手段は、
前記暗証番号認証手段が認証した結果のログ情報、および電気錠制御手段が制御する前記電気錠の施解錠のログ情報を記録するログ機能を備えることを特徴とする請求項１記載の電気錠制御装置。
【請求項９】
前記ログ情報は、
前記通知手段によって通知されることを特徴とする請求項８記載の電気錠制御装置。
【請求項１０】
前記暗証番号生成手段または前記通知手段は、
接続された外部機器から前記暗証番号を生成する指示、または通知する指示を入力するための接点入力部を備えることを特徴とする請求項１記載の電気錠制御装置。
【請求項１１】
前記暗証番号生成手段または前記通知手段は、前記暗証番号を生成する指示、または通知する指示を行うためのウェブページを、ネットワークを介して提供するウェブサーバ機能を備えることを特徴とする請求項１記載の電気錠制御装置。
【請求項１２】
暗証番号を入力する暗証番号入力手段と電気錠とに接続され、前記電気錠の施解錠を制御する電気錠制御方法において、
暗証番号生成手段が前記電気錠を解錠するための暗証番号を生成する行程と、
通知手段が前記暗証番号生成手段によって生成された前記暗証番号を通知する行程と、
を備えることを特徴とする電気錠制御方法。
【請求項１３】
暗証番号を入力する暗証番号入力手段と電気錠とに接続され、前記電気錠の施解錠を制御する電気錠制御プログラムにおいて、
コンピュータを、
前記電気錠を解錠するための暗証番号を生成する暗証番号生成手段、および
前記暗証番号生成手段によって生成された前記暗証番号を通知するための通知手段、
として機能させることを特徴とする電気錠制御プログラム。
【発明の詳細な説明】
【技術分野】
【０００１】
本発明は、電気錠制御装置、電気錠制御方法、および電気錠制御プログラムに関し、特に暗証番号を入力する暗証番号入力手段と電気錠とに接続され、前記電気錠の施解錠を制御する電気錠制御装置、電気錠制御方法、および電気錠制御プログラムに関する。
【背景技術】
【０００２】
従来から、ビルやマンション、オフィスなどには、入退室管理システムが導入され、共同玄関などに設置される入退室管理装置が利用者に暗証番号の入力を促し、入力された暗証番号を照合することで、電気錠の解錠制御を行っている。（たとえば、特許文献１参照）。
【０００３】
また、また、入退室管理装置が、利用者の識別カードやワイヤレス発信器を読み取ってその利用者コードを照合したりすることで、電気錠の解錠制御を行っている（たとえば、特許文献１、特許文献２参照）。
【先行技術文献】
【特許文献】
【０００４】
【特許文献１】特開平５−２５９６３号公報
【特許文献２】特開平８−４２２０８号公報
【特許文献３】特開平１１−３２４４４２号公報
【発明の概要】
【発明が解決しようとする課題】
【０００５】
しかし、単純化された入退室管理装置はセキュリティ機能が脆弱になってしまうという問題や、セキュリティ向上のため複雑化したシステムの導入には高額なコストが必要になってしまう問題があった。
【０００６】
上述した特許文献１記載の発明では、暗証番号を設定する機能を備えた電気錠操作器を電気錠に設置している。
図１０は、暗証番号を設定する機能を備えた電気錠操作器の構成例を示した図である。
【０００７】
たとえば上述した特許文献１記載の発明では、図１０に示すように、暗証番号を設定する機能を備えた電気錠操作器１０が、電気錠制御盤２０を介して通行扉３０が有する電気錠３１に接続され、入退室管理を行っている。
【０００８】
このような簡易的な入退室の管理方法は、入退室する利用者の個々人を識別することができず、全員に決められた暗証番号が伝えられ、毎日同じ暗証番号を入力して、入退室を行うことが多い。
【０００９】
しかし、長い期間同じ暗証番号を利用すると、たとえば退職者のように本来入室させたくない人物も同じ暗証番号を入力することで入室できてしまうので、セキュリティ機能が脆弱になってしまう問題があった。
【００１０】
このようなセキュリティ機能が脆弱になる問題は、設定された暗証番号を短期間で定期的に変更することで解決することも考えられるが、暗証番号を短期間で定期的に変更し、変更された暗証番号を利用者に周知することは、暗証番号を管理する管理者にとっては大きな負担となってしまい現実的ではなかった。
【００１１】
図１１は、利用者コード読取機を備えた入退室管理装置の構成例を示した図である。
たとえば、上述した特許文献２、特許文献３記載の発明では、テンキー４０や、カードリーダー５０や、ワイヤレス受発信器６０などの利用者コード読取機、および入退室管理装置を担うホストコンピューター７０がネットワーク８０を介して互いに接続されている。ホストコンピューター７０は、利用者コード読取機を介して受信した利用者コードを入室許可者リストと照合することで、電気錠制御盤２０を介して通行扉３０が有する電気錠３１の施解錠を行っている。
【００１２】
しかし、カードリーダー５０、ワイヤレス受発信器６０、ホストコンピューター７０などは高額なものが多く、このようなシステムを導入すると高額な設備になってしまう問題があった。また、カードリーダー５０で利用される識別カードは、利用者個々人に貸し出して利用するため、更に導入コストが増加してしまっていた。また、貸し出した識別カードは利用者が紛失してしまう可能性も考えられるため、セキュリティ上の不安も大きかった。
【００１３】
本発明はこのような点に鑑みてなされたものであり、既存の電気錠に簡易かつ安価に取り付けることができ、セキュリティ機能を向上することができる電気錠制御装置、電気錠制御方法、および電気錠制御プログラムを提供することを目的とする。
【課題を解決するための手段】
【００１４】
本発明では上記問題を解決するために、暗証番号を入力する暗証番号入力手段と電気錠とに接続され、前記電気錠の施解錠を制御する電気錠制御装置において、前記電気錠を解錠するための暗証番号を生成する暗証番号生成手段と、前記暗証番号生成手段によって生成された前記暗証番号を通知する通知手段とを備えることを特徴とする電気錠制御装置が提供される。
これにより、暗証番号生成手段が電気錠を解錠するための暗証番号を生成し、通知手段が暗証番号生成手段によって生成された暗証番号を通知する。
【００１５】
また、本発明では、暗証番号を入力する暗証番号入力手段と電気錠とに接続され、前記電気錠の施解錠を制御する電気錠制御方法において、暗証番号生成手段が前記電気錠を解錠するための暗証番号を生成する行程と、通知手段が前記暗証番号生成手段によって生成された前記暗証番号を通知する行程とを備えることを特徴とする電気錠制御方法が提供される。
これにより、暗証番号生成手段が電気錠を解錠するための暗証番号を生成し、通知手段が暗証番号生成手段によって生成された暗証番号を通知する。
【００１６】
また、本発明では、暗証番号を入力する暗証番号入力手段と電気錠とに接続され、前記電気錠の施解錠を制御する電気錠制御プログラムにおいて、コンピュータを、前記電気錠を解錠するための暗証番号を生成する暗証番号生成手段、および前記暗証番号生成手段によって生成された前記暗証番号を通知するための通知手段として機能させることを特徴とする電気錠制御プログラムが提供される。
これにより、暗証番号生成手段が電気錠を解錠するための暗証番号を生成し、通知手段が暗証番号生成手段によって生成された暗証番号を通知する。
【発明の効果】
【００１７】
本発明の電気錠制御装置、電気錠制御方法、および電気錠制御プログラムによれば、暗証番号生成手段が電気錠を解錠するための暗証番号を生成し、通知手段が暗証番号生成手段によって生成された暗証番号を通知するので、既存の電気錠に簡易かつ安価に取り付けることができ、セキュリティ機能を向上することができる。
【図面の簡単な説明】
【００１８】
【図１】本実施の形態に係る概念を示すブロック図である。
【図２】暗証番号生成手段の詳細を示すブロック図である。
【図３】通知手段の詳細を示すブロック図である。
【図４】本実施の形態の電気錠制御装置が、暗証番号を生成し、暗証番号を通知するまでの処理を示すフローチャートである。
【図５】本実施の形態の暗証番号生成手段が暗証番号を生成し、通知手段へ生成完了を通知するまでの処理を示すフローチャートである。
【図６】本実施の形態の暗証番号認証手段が、暗証番号を認証する処理を示すフローチャートである。
【図７】本実施の形態の通知手段が、暗証番号を通知する処理を示すフローチャートである。
【図８】本実施の形態の通知手段が、ログ情報を通知する処理を示すフローチャートである。
【図９】本実施の形態のハードウェア構成の一例を示す図である。
【図１０】暗証番号を設定する機能を備えた電気錠操作器の構成例を示した図である。
【図１１】利用者コード読取機を備えた入退室管理装置の構成例を示した図である。
【発明を実施するための形態】
【００１９】
以下、本発明の実施の形態を、図面を参照して詳細に説明する。
図１は、本実施の形態に係る概念を示すブロック図である。
図１に示すように、電気錠制御装置１００は、暗証番号生成手段１１０、暗証番号格納部１２０、暗証番号認証手段１３０、電気錠制御手段１４０、ログ情報格納部１５０、および通知手段１６０を備えている。
【００２０】
暗証番号生成手段１１０は、図示しない通行扉２００に備えられた電気錠２１０を解錠するための暗証番号を定期的に生成するものであり、暗証番号格納部１２０および通知手段１６０に接続されている。
暗証番号生成手段１１０が暗証番号を生成すると、生成された暗証番号は暗証番号格納部１２０に格納され、暗証番号の生成が完了した信号が通知手段１６０に伝えられる。
【００２１】
暗証番号認証手段１３０は、図示しない暗証番号入力手段３００から入力された入力番号と暗証番号とを照合し、入力番号と暗証番号とが完全に一致するか否かを判断するものであり、暗証番号格納部１２０、電気錠制御手段１４０、ログ情報格納部１５０、および暗証番号入力手段３００に接続されている。
【００２２】
暗証番号入力手段３００は例えばテンキーであって、暗証番号入力手段３００から入力された入力番号が暗証番号認証手段１３０に伝わると、入力番号と暗証番号格納部１２０に格納された暗証番号とを照合し、入力番号と暗証番号とが完全に一致するか否かを判断する。
【００２３】
入力番号と暗証番号とが完全に一致した場合は、電気錠制御手段１４０に信号を伝え、一致しなかった場合は図示しない暗証番号入力手段３００にエラー表示などを表示させる信号を伝える。また、暗証番号認証手段１３０が判断した結果は、ログ情報格納部１５０に記録される。
【００２４】
電気錠制御手段１４０は、図示しない通行扉２００に備えられた電気錠２１０の施解錠を制御するためのものであり、暗証番号認証手段１３０、ログ情報格納部１５０、および電気錠２１０に接続されている。
【００２５】
入力番号と暗証番号とが完全に一致した信号が電気錠制御手段１４０に伝わると、電気錠制御手段１４０は電気錠２１０の解錠を行い、解錠を行った情報をログ情報格納部１５０に記録する。
【００２６】
次に解錠された通行扉２００は開扉され利用者が通過する。その後、通行扉２００が閉扉すると電気錠制御手段１４０は電気錠２１０の施錠を行い、施錠を行った情報をログ情報格納部１５０に記録する。
【００２７】
通知手段１６０は、生成された暗証番号およびログ情報を利用者に通知するためのものであり、暗証番号生成手段１１０、暗証番号格納部１２０、ログ情報格納部１５０、および図示しないネットワーク４００を介してインターネット５００に接続されている。
【００２８】
暗証番号生成手段１１０から暗証番号の生成が完了した信号が伝えられると、通知手段１６０は、通行扉２００を利用する利用者に暗証番号の通知を行う。たとえば通知媒体にメールを利用する場合、暗証番号が記載されたメールを通知手段１６０が作成して利用者に送信を行う。
【００２９】
このように例えば毎朝６時に暗証番号を暗証番号生成手段１１０が生成するなど、定期的に生成された暗証番号を通知手段１６０が利用者に定期的に通知することで、暗証番号の有効期限を短くすることができる。このように暗証番号の有効期限を短くすることで、セキュリティ機能を向上させ、セキュリティ機能が脆弱になってしまう問題を解決することができる。
また暗証番号生成手段１１０が生成した暗証番号は、通知手段１６０が自動で利用者に暗証番号を通知するので、管理者の負担を軽減することができる。
【００３０】
図２は、暗証番号生成手段の詳細を示すブロック図である。
図２に示すように、暗証番号生成手段１１０は、生成指示部１１１、変更周期格納部１１２、および暗証番号生成部１１３を備えている。
生成指示部１１１は、暗証番号の生成を指示するためのものであり、変更周期格納部１１２および暗証番号生成部１１３が接続されている。
【００３１】
生成指示部１１１は変更周期格納部１１２に格納された暗証番号を変更する変更周期を参照し、変更周期に従って、暗証番号生成部１１３に暗証番号変更の指示を伝える。例えば変更周期が毎朝６時だった場合、毎朝６時になると暗証番号を変更する指示を生成指示部１１１が暗証番号生成部１１３に伝える。
また暗証番号の生成指示は、変更周期格納部１１２に格納された変更周期だけでなく、暗証番号入力手段３００などの外部機器から生成指示部１１１を介して暗証番号生成部１１３に生成指示を行うこともできる。
変更周期格納部１１２は、暗証番号入力手段３００や図示しない外部端末を接続して任意の周期を設定することができる。
【００３２】
また電気錠制御装置１００にウェブサーバ機能を持たせ、ネットワーク４００を介して暗証番号を生成または変更周期の設定を行うためのウェブページを提供し、端末機器を接続し、ウェブサーバから供給されたウェブページを接続した端末機器上で暗証番号の生成または変更周期の設定を行うこともできる。
なお電気錠制御装置１００に接点入力部を持たせ、接点入力部から接続したスイッチボタンなどから暗証番号の生成または変更周期の設定を行うこともできる。
【００３３】
暗証番号生成部１１３は、暗証番号を生成するためのものであり、生成指示部１１１、暗証番号格納部１２０、および通知手段１６０に接続されている。
生成指示部１１１から暗証番号の生成指示が伝わると、暗証番号生成部１１３は暗証番号を生成する。暗証番号は暗証番号入力手段３００で入力可能な文字から任意の文字数のランダムな暗証番号を生成する。
【００３４】
生成された暗証番号は暗証番号格納部１２０に格納され、古い暗証番号から生成された暗証番号に更新される。暗証番号格納部１２０に生成された暗証番号が格納されると、暗証番号生成部１１３は、通知手段１６０に暗証番号の生成が完了した信号を伝える。
【００３５】
このように、あらかじめ変更周期格納部１１２に設定した周期で、暗証番号生成部１１３が暗証番号を生成するので、管理者に負担をかけることなく暗証番号の有効期限を短く管理することができる。
【００３６】
図３は、通知手段の詳細を示すブロック図である。
図３に示すように、通知手段１６０は、通知指示部１６１、送信内容生成部１６２、送信先格納部１６３、送信部１６４、およびログ情報通知周期格納部１６５を備えている。
【００３７】
通知指示部１６１は、暗証番号の通知を指示するためのものであり、送信内容生成部１６２、ログ情報通知周期格納部１６５、および暗証番号生成手段１１０が備える暗証番号生成部１１３が接続されている。
【００３８】
通知指示部１６１は、暗証番号生成部１１３から暗証番号の生成が完了した信号が伝わると、利用者に例えばメールで暗証番号を通知するための送信内容を生成する指示を送信内容生成部１６２に伝える。
【００３９】
またログ情報通知周期格納部１６５に格納されたログ情報を通知する周期を参照し、通知周期に従って送信内容生成部１６２にログ情報を通知する指示を、通知指示部１６１が送信内容生成部１６２に伝える。
【００４０】
またログ情報の通知指示は、ログ情報通知周期格納部１６５に格納された変更周期だけでなく、暗証番号入力手段３００などの外部機器から通知指示部１６１を介して送信内容生成部１６２に通知指示を行うこともできる。
ログ情報通知周期格納部１６５は、暗証番号入力手段３００や図示しない外部端末を接続して任意の周期を設定することができる。
【００４１】
また電気錠制御装置１００にウェブサーバ機能を持たせ、ネットワーク４００を介してログ情報の通知する指示を行うためのウェブページを提供し、ウェブサーバから供給されたウェブページを接続した端末機器上でログ情報の通知指示を行うこともできる。
なお電気錠制御装置１００に接点入力部を持たせ、接点入力部から接続したスイッチボタンなどからログ情報の通知指示を行うこともできる。
【００４２】
送信内容生成部１６２は、暗証番号またはログ情報を通知するための送信内容を生成するためのものであり、通知指示部１６１、送信先格納部１６３、送信部１６４、暗証番号格納部１２０、およびログ情報格納部１５０に接続されている。
【００４３】
通知指示部１６１から通知指示が伝わると、送信内容生成部１６２は暗証番号格納部１２０またはログ情報格納部１５０を参照して、例えばメールの本文に暗証番号またはログ情報が記載された送信内容を生成する。
【００４４】
送信先格納部１６３には、暗証番号およびログ情報の通知する内容ごとに送信する送信先の情報が格納されている。例えば通知媒体がメールの場合、暗証番号の送信先は通行扉２００を利用する利用者のメールアドレス、ログ情報の送信先は管理者のメールアドレスが格納されている。
【００４５】
このように通知する内容によって通知する送信先だけを送信先格納部１６３で管理者が管理すればよいので、例えば退職者のような通行扉２００を利用させたくない人が発生した場合、退職者の送信先を管理者が送信先格納部１６３から削除するだけで暗証番号が通知されなくなる。
【００４６】
生成された送信内容は、送信部１６４によって送信される。例えば通知媒体がメールの場合は、ネットワーク４００を介してインターネット５００に接続された送信部１６４がメールサーバを利用してメールを送信する。
【００４７】
送信されたメールは、利用者の端末機器が受信し、更新された暗証番号またはログ情報を確認することができる。
また、送信部１６４は図示しない暗号化手段を備え、暗号化手段が送信するメールを暗号化し、その暗号化されたメールを送信部１６４が送信することでセキュリティ機能を更に向上することができる。
【００４８】
また本実施例では、通知媒体としてメールを利用した通知方法で説明をしたが、暗証番号が記載されたウェブページを非公開なウェブサーバに通知手段１６０がアップロードし、利用者が端末機器を利用して暗証番号の申請を行うと、暗証番号記載された非公開のウェブページのアドレスが通知されるクラウドシステムを構築することもできる。
【００４９】
図４は、本実施の形態の電気錠制御装置が、暗証番号を生成し、暗証番号を通知するまでの処理を示すフローチャートである。以下、図４に示す処理をステップ番号に沿って説明する。
【００５０】
〔ステップＳ１１〕暗証番号生成手段１１０は、定期的に暗証番号を生成する。具体的には、通行扉２００に備えられた電気錠２１０を解錠するための暗証番号の生成を、定期的に暗証番号生成手段１１０が行う。
【００５１】
〔ステップＳ１２〕暗証番号生成手段１１０は、暗証番号を暗証番号格納部１２０に格納する。具体的には、暗証番号生成手段１１０によって生成された新たな暗証番号を、暗証番号生成手段１１０が暗証番号格納部１２０に格納する。古い暗証番号が暗証番号格納部１２０に格納されている場合は、暗証番号生成手段１１０が新たな暗証番号を上書きするか、または新たな暗証番号が最新であることが分かるように暗証番号生成手段１１０が記録する。
【００５２】
〔ステップＳ１３〕通知手段１６０は、暗証番号を通知する。具体的には、暗証番号生成手段１１０が生成した新たな暗証番号を、通行扉２００を利用する利用者に通知手段１６０が通知を行う。例えば通知媒体がメールの場合は、新たな暗証番号が記載されたメールを通知手段１６０が利用者に送信する。これにより利用者は新しい暗証番号を確認することができる。
【００５３】
図５は、本実施の形態の暗証番号生成手段が暗証番号を生成し、通知手段へ生成完了を通知するまでの処理を示すフローチャートである。以下、図５に示す処理をステップ番号に沿って説明する。
【００５４】
〔ステップＳ２１〕生成指示部１１１は、変更周期か否かの判断を行う。具体的には、変更周期格納部１１２に格納された変更周期を参照し、現在が変更周期を満たしているか否かの判断を行う。例えば変更周期が午前６時に設定されていた場合、現在が午前６時であれば変更周期であると判断し、午前６時以外であれば変更周期でないと判断する。変更周期であると判断したときは、処理をステップＳ２２に進め、変更周期でないと判断したときはプログラムを終了する。
【００５５】
〔ステップＳ２２〕生成指示部１１１は、暗証番号を生成する指示を伝える。具体的には、ステップＳ２１で変更周期であると判断したときに、生成指示部１１１は暗証番号生成部１１３に対して暗証番号を生成する指示を伝える。
【００５６】
〔ステップＳ２３〕暗証番号生成部１１３は、暗証番号を生成する。具体的には、生成指示部１１１から暗証番号を生成する指示が伝わると、暗証番号生成部１１３は新たな暗証番号を生成する。暗証番号は暗証番号入力手段３００で入力可能な文字から任意の文字数のランダムな暗証番号を生成する。
【００５７】
〔ステップＳ２４〕暗証番号生成部１１３は、暗証番号を格納する。具体的には、暗証番号生成部１１３が生成した新たな暗証番号を、暗証番号生成部１１３が暗証番号格納部１２０に格納する。古い暗証番号が暗証番号格納部１２０に格納されている場合は、暗証番号生成部１１３が新たな暗証番号を上書きするか、または新たな暗証番号が最新であることが分かるように暗証番号生成部１１３が記録する。
【００５８】
〔ステップＳ２５〕暗証番号生成部１１３は通知手段１６０に通知する。具体的には、暗証番号生成部１１３が暗証番号格納部１２０に新たに生成された暗証番号の格納が完了すると、暗証番号の生成が完了したことを、暗証番号生成部１１３が通知手段１６０に通知する。
【００５９】
図６は、本実施の形態の暗証番号認証手段が、暗証番号を認証する処理を示すフローチャートである。以下、図６に示す処理をステップ番号に沿って説明する。
〔ステップＳ３１〕暗証番号認証手段１３０は入力番号を受信する。具体的には、利用者が通行扉２００を通行する際に、例えばテンキーである暗証番号入力手段３００から入力した入力番号を暗証番号認証手段１３０が受信する。
【００６０】
〔ステップＳ３２〕暗証番号認証手段１３０は暗証番号を照会する。具体的には、暗証番号格納部１２０に格納された最新の暗証番号の確認を暗証番号認証手段１３０が行う。
〔ステップＳ３３〕暗証番号認証手段１３０は、入力番号が正しいか判断する。具体的には、ステップＳ３１で受信した入力番号と、ステップＳ３２で照会した最新の暗証番号とを照合し、入力番号と最新の暗証番号とが完全に一致するか否かを暗証番号認証手段１３０が判断する。入力番号が正しいと判断したときは、処理をステップＳ３４に進め、正しくないと判断したときは、処理をステップＳ３５に進める。
【００６１】
〔ステップＳ３４〕電気錠制御手段１４０は、電気錠２１０を解錠する。具体的には、ステップＳ３３で入力番号と最新の暗証番号が完全一致したとき、電気錠制御手段１４０は通行扉２００に備えられた電気錠２１０を解錠する。これにより利用者は通行扉２００を開扉して通行扉２００を通過することができる。
【００６２】
〔ステップＳ３５〕暗証番号認証手段１３０は、エラーを通知する。具体的には、ステップＳ３３が判断した入力番号が最新の暗証番号と完全に一致しないと判断した情報を、暗証番号認証手段１３０が暗証番号入力手段３００に通知を行う。これにより暗証番号入力手段３００で入力操作を行った利用者に、入力番号が正しくないことを通知することができる。
【００６３】
〔ステップＳ３６〕電気錠制御手段１４０は、ログ情報を記録する。具体的には、ステップＳ３３で行った判断結果を、電気錠制御手段１４０がログ情報格納部１５０に記録する。記録された情報は通知手段１６０が定期的に管理者に通知することができる。
【００６４】
図７は、本実施の形態の通知手段が、暗証番号を通知する処理を示すフローチャートである。以下、図７に示す処理をステップ番号に沿って説明する。
〔ステップＳ４１〕通知指示部１６１は、暗証番号生成が完了した通知を受信する。具体的には、ステップＳ２５で暗証番号生成部１１３が暗証番号の生成を完了した通知を通知指示部１６１が受信する。
【００６５】
〔ステップＳ４２〕通知指示部１６１が送信内容の生成を指示する。具体的には、最新の暗証番号を利用者に通知するために、最新の暗証番号が記載された送信内容を生成する指示を、通知指示部１６１が送信内容生成部１６２に伝える。
【００６６】
〔ステップＳ４３〕送信内容生成部１６２は送信内容を生成する。具体的には、例えば通知媒体がメールの場合、メールの本文に最新の暗証番号を記載し、送信先格納部１６３に格納された送信先宛てにメールを送信内容生成部１６２が作成する。
また、通知媒体としてウェブサーバを利用する場合は、暗証番号が記載されたウェブページを送信内容生成部１６２が作成してもよい。
【００６７】
〔ステップＳ４４〕送信部１６４は、送信内容を送信する。具体的には、ステップＳ４３で生成された送信内容を、インターネット５００を介して送信部１６４利用者に送信する。例えば、通知媒体がメールの場合、ステップＳ４３で送信内容生成部１６２が生成したメールを、ネットワーク４００を介してインターネット５００に接続された送信部１６４がメールサーバを利用してメールを送信する。
【００６８】
また、通知媒体としてウェブサーバを利用する場合は、ステップＳ４３で送信内容生成部１６２が生成したウェブページを、ネットワーク４００を介してインターネット５００に接続された送信部１６４がウェブサーバにアップロードしてもよい。
【００６９】
図８は、本実施の形態の通知手段が、ログ情報を通知する処理を示すフローチャートである。以下、図８に示す処理をステップ番号に沿って説明する。
〔ステップＳ５１〕通知指示部１６１は、通知周期か否かの判断を行う。具体的には、ログ情報通知周期格納部１６５に格納された通知周期を参照し、現在が通知周期を満たしているか否かの判断を通知指示部１６１が行う。例えば通知周期が午後８時に設定されていた場合、現在が午後８時であれば通知周期であると判断し、午後８時以外であれば通知周期でないと判断する。通知周期であると判断したときは、処理をステップＳ５２に進め、通知周期でないと判断したときはプログラムを終了する。
【００７０】
〔ステップＳ５２〕通知指示部１６１は、ログ情報を通知するための送信内容を生成する指示を伝える。具体的には、ステップＳ５１で通知周期であると判断したときに、通知指示部１６１は送信内容生成部１６２に対してログ情報を通知するための送信内容を生成する指示を伝える。
【００７１】
〔ステップＳ５３〕送信内容生成部１６２は、ログ情報の送信内容を生成する。具体的には、通知指示部１６１から送信内容を生成する指示が伝わると、ログ情報格納部１５０に格納されているログ情報を元に送信内容を送信内容生成部１６２が生成する。例えば通知媒体がメールの場合、メールの本文にログ情報格納部１５０に格納されているログ情報を記載し、送信先格納部１６３に格納された送信先である管理者宛てにメールを送信内容生成部１６２が作成する。
また、通知媒体としてウェブサーバを利用する場合は、ログ情報が記載されたウェブページを送信内容生成部１６２が作成してもよい。
【００７２】
〔ステップＳ５４〕送信部１６４は、送信内容を送信する。具体的には、ステップＳ５３で生成された送信内容を、インターネット５００を介して送信部１６４が利用者に送信する。例えば、通知媒体がメールの場合、ステップＳ５３で送信内容生成部１６２が生成したメールを、ネットワーク４００を介してインターネット５００に接続された送信部１６４がメールサーバを利用してメールを送信する。
【００７３】
また、通知媒体としてウェブサーバを利用する場合は、ステップＳ５３で送信内容生成部１６２が生成したウェブページを、ネットワーク４００を介してインターネット５００に接続された送信部１６４がウェブサーバにアップロードしてもよい。
【００７４】
図９は、本実施の形態のハードウェア構成の一例を示す図である。
図９に示すように、電気錠制御装置１００は、電気錠インターフェイス１７０およびネットワークインターフェイス１８０を備え、電気錠２１０備える通行扉２００、ネットワーク４００を介してインターネット５００、および暗証番号入力手段３００に接続されている。
【００７５】
このように、電気錠制御装置１００は既存の電気錠２１０と暗証番号入力手段３００との間に設置され、電気錠制御装置１００が定期的に暗証番号を生成し、電気錠制御装置１００がインターネット５００を介して利用者に最新の暗証番号を通知する。
これにより、他に高額な設備を必要せずに既存の電気錠２１０に簡易かつ安価に電気錠制御装置１００が取り付けられ、セキュリティ機能を向上することができる。
【符号の説明】
【００７６】
１０  電気錠操作器
２０  電気錠制御盤
３０、２００  通行扉
３１、２１０  電気錠
４０  テンキー
５０  カードリーダー
６０  ワイヤレス受発信器
７０  ホストコンピューター
８０、４００  ネットワーク
１００  電気錠制御装置
１１０  暗証番号生成手段
１１１  生成指示部
１１２  変更周期格納部
１１３  暗証番号生成部
１２０  暗証番号格納部
１３０  暗証番号認証手段
１４０  電気錠制御手段
１５０  ログ情報格納部
１６０  通知手段
１６１  通知指示部
１６２  送信内容生成部
１６３  送信先格納部
１６４  送信部
１６５  ログ情報通知周期格納部
１７０  電気錠インターフェイス
１８０  ネットワークインターフェイス
３００  暗証番号入力手段
５００  インターネット
【図１】
2018059317.tif 000003
【図２】
2018059317.tif 000004
【図３】
2018059317.tif 000005
【図４】
2018059317.tif 000006
【図５】
2018059317.tif 000007
【図６】
2018059317.tif 000008
【図７】
2018059317.tif 000009
【図８】
2018059317.tif 000010
【図９】
2018059317.tif 000011
【図１０】
2018059317.tif 000012
【図１１】
2018059317.tif 000013